(57)【要約】【課題】発電パネルが簡単に取り付けられると共に、大掛かりな基礎等を設けることなく簡単に設置できる施工性の高い太陽光発電パネル取付用架台を提供する。【解決手段】発電パネル取付用梁材２０の取付座２が設けられた上面と、注入口５Ａ，５Ｂ及び排出口７が開口された側面とを有する、軽量材料によって一体成形されたタンク架台１であって、前記取付座２に梁材２０のねじ結合部としてフランジナット４が予め埋設されている。【選択図】　図１
2004047756.tif 000002
【特許請求の範囲】
【請求項１】
発電パネル取付用梁材の取付座が設けられた上面と、注入口及び排出口が開口された側面とを有する、軽量材料によって一体成形されたタンク架台であって、前記取付座に予め梁材のねじ結合部が付設されていることを特徴とする太陽光発電パネル取付用架台。
【請求項２】
発電パネル取付用梁材の取付座が設けられた上面と、注入口及び排出口が開口された側面とを有する、軽量材料によって一体成形されたタンク架台であって、前記側面に予め索条通し部が付設されていることを特徴とする太陽光発電パネル取付用架台。
【請求項３】
発電パネル取付用梁材の取付座が設けられた上面と、注入口及び排出口が開口された側面とを有する、軽量材料によって一体成形されたタンク架台であって、前記側面に予めケーブル引っ掛け部が付設されていることを特徴とする太陽光発電パネル取付用架台。
【請求項４】
発電パネル取付用梁材の取付座が設けられた上面と、注入口及び排出口が開口された側面とを有する、軽量材料によって一体成形されたタンク架台であって、前記上面に予め取手が付設されていることを特徴とする太陽光発電パネル取付用架台。
【請求項５】
前記タンク架台は非透光性材料で成形されていることを特徴とする請求項１，２，３又は４記載の太陽光発電パネル取付用架台。
【発明の詳細な説明】
【０００１】
【発明の属する技術分野】
本発明は、太陽光発電パネルを取り付けるために用いられる架台に係り、一層詳細には、設置性に優れた太陽光発電パネル取付用架台に関する。
【０００２】
【従来の技術】
近年、いわゆるエコロジの観点から太陽光発電が注目され、太陽光発電パネルとして一般化されている。この太陽光発電パネルは、一般的に、地面又は屋上に設置される。
【０００３】
図９は、従来の太陽光発電パネル取付用架台の斜視図であって、鉄骨構造又はＲＣ構造とすることが普通であった。即ち、鉄骨構造の架台１０１　の上面には複数枚の太陽光発電パネル１０４　がアルミフレーム１０５　によって固定されると共に、太陽光発電パネル１０４　が受ける風圧に耐え得るように、架台１０１　を地面又は屋上に設置した基礎１０２　上に固定することが不可欠であった。
【０００４】
【発明が解決しようとする課題】
しかしながら、地面又は屋上に基礎を設置するためには既存構造物との取り合いを考慮する必要があると共に、基礎上への架台の設置工事及び架台上にアルミフレーム等を用いて太陽光発電パネルを取り付ける工事の工費・工期も多くを要するなどの問題点があった。
【０００５】
本発明は、このような実情に鑑み提案されたもので、発電パネルが簡単に取り付けられると共に、大掛かりな基礎等を設けることなく簡単に設置できる施工性の高い太陽光発電パネル取付用架台を提供することを目的とする。
【０００６】
【課題を解決するための手段】
斯かる目的を達成するための本発明に係る太陽光発電パネル取付用架台は、発電パネル取付用梁材の取付座が設けられた上面と、注入口及び排出口が開口された側面とを有する、軽量材料によって一体成形されたタンク架台であって、前記取付座に予め梁材のねじ結合部が付設されていることを特徴とする。
【０００７】
また、発電パネル取付用梁材の取付座が設けられた上面と、注入口及び排出口が開口された側面とを有する、軽量材料によって一体成形されたタンク架台であって、前記側面に予め索条通し部が付設されていることを特徴とする。
【０００８】
また、発電パネル取付用梁材の取付座が設けられた上面と、注入口及び排出口が開口された側面とを有する、軽量材料によって一体成形されたタンク架台であって、前記側面に予めケーブル引っ掛け部が付設されていることを特徴とする。
【０００９】
また、発電パネル取付用梁材の取付座が設けられた上面と、注入口及び排出口が開口された側面とを有する、軽量材料によって一体成形されたタンク架台であって、前記上面に予め取手が付設されていることを特徴とする。
【００１０】
また、前記タンク架台は非透光性材料で成形されていることを特徴とする。
【００１１】
【発明の実施の形態】
以下、本発明に係る太陽光発電パネル取付用架台を実施例により図面を用いて詳細に説明する。
【００１２】
［実施例］
図１は本発明の一実施例を示す太陽光発電パネル取付用架台の側面図、図２は同じく平面図、図３は同じく底面図、図４は同じく正面図、図５は同じく背面図、図６は同じく図１のＡ−Ａ線断面図、図７は同じく図１のＢ−Ｂ線断面図、図８は同じく使用状態の斜視図である。
【００１３】
図中１は中空箱状のタンク架台で、ポリエチレン等の合成樹脂材料からなる一体成形品である。
【００１４】
タンク架台１の上面は、前下がりに適度の角度（例えば３０°）で傾斜しており、その前，後両部には発電パネル取付用梁材２０（図８参照）の取付座２が形成されると共に、中央部には取手３が形成されている。また、前記取付座２には、４箇所に亙って梁材２０のねじ結合部としてフランジナット４が埋設されている。
【００１５】
タンク架台１の背面には、上部と中央部寄りに二つの注入口５Ａ，５Ｂが形成されてキャップ６Ａ，６Ｂが嵌合可能になっていると共に、下部に排出口７が形成されてソケット８が嵌合可能になっている。また、二つの注入口５Ａ，５Ｂ間に位置してケーブル引っ掛け部としてのフック９が上向きに形成され、かつ注入口５Ｂと排出口７との間に位置して第１の索条通し部１０が片状に形成されてその中央に貫通孔１０ａが明けられている。
【００１６】
一方、タンク架台１の正面下部には、第２の索条通し部１１が片状に形成されてその中央に貫通孔１１ａが明けられている。
【００１７】
また、タンク架台１の左，右両側面には、胴膨れを防止すべく縦リブ１２と横リブ１３が適当位置に形成されると共に、中央部に楕円形状の凹み部１４が形成されて左右の凹み部１４同士が結合されている。
【００１８】
前記取付座２、取手３、注入口５Ａ，５Ｂ、排出口７、フック９、第１索条通し部１０及び第２索条通し部１１は、タンク架台１の本体成形時に一体成形されると共に、当該成形時に前記取付座２にフランジナット４が埋め込まれる。
【００１９】
また、前記タンク架台１の成形時には、ポリエチレン等の合成樹脂材料に黒色の顔料等を混入して、タンク内部に太陽光を通さないようになっている。
【００２０】
このように構成されるため、太陽光発電パネルの設置にあたっては、図８に示すように、先ず、地面又は屋上における太陽光発電パネル２１の設置位置に２個のタンク架台１を所定間隔離間して並設し、これらタンク架台１間に、前述したタンク架台１上面の取付座２を介して、前後一対の発電パネル取付用梁材２０を架設する。この際、取付座２には予めフランジナット４が埋め込まれているので、前記梁材２０はボルトで容易に取り付けられる。
【００２１】
次に、注入口５Ａ又は５Ｂからタンク架台１の内部に、耐風性・耐震性を確保できる重量の水や砂等の流動体を注入する。この際、注入口５Ａ，５Ｂは上下に二つあるので、設置位置に必要な構造条件に適した量の流動体を、計測計無しに、無駄なく注入することができる。
【００２２】
このようにして架台構造が出来た後、前記梁材２０上に太陽光発電パネル２１をボルト等で取り付ければ良い。この際、タンク架台１の上面は傾斜しているので、他に部材を用意しなくても、太陽光発電効率を向上させる安定した太陽光発電パネル２１の設置角度を確保することができる。太陽光発電パネル２１から導出される図示しないケーブルは、前述したタンク架台１背面のフック９に引っ掛けて配線される。
【００２３】
以上の構造体を一組として、図示例のように複数組を並設しても良い。このような場合、各タンク架台１の正面に設けた第２索条通し部１１及び／又は各タンク架台１の背面に設けた第１索条通し部１０に１本のワイヤー２２を通してこのワイヤー２２の両端をアンカー２３に結合すれば、より一層安定した架台構造が実現される。勿論、ワイヤー２２を通さなくても良い。
【００２４】
このようにして本実施例では、タンク架台１の設置が完了した時は、排出口７にソケット８で蓋をした状態で注入口５Ａ又は５Ｂから水や砂等の流動体を注入してタンク架台１の重量を増加することにより、風圧等によりタンク架台１が移動することが防止される。つまり、設置箇所に基礎を設ける必要がないのである。
【００２５】
また、タンク架台１を移設することが必要となった場合には、排出口７から流動体を一部又は全部を排出して重量を軽くすることで、また取手３を有することも相俟って、取り外し及び移動が容易となる。
【００２６】
また、タンク架台１は非透光性材料で成形されているので、タンク架台１の内部における藻などの有機物の発生が抑止され、長年にわたるタンク貯蔵水の中水利用が可能となる。
【００２７】
尚、本発明は上記実施例に限定されず、本発明の要旨を逸脱しない範囲で、各種変更が可能であることはいうまでもない。例えば、フランジナットに代えてスタッドボルトを埋め込んでも良い。また、タンク架台はポリエチレン等の合成樹脂材料に限定されず、軽量材料による一体成形品であれば良い。
【００２８】
【発明の効果】
以上、実施例に基づいて詳細に説明したように、本発明の請求項１に係る発明は、発電パネル取付用梁材の取付座が設けられた上面と、注入口及び排出口が開口された側面とを有する、軽量材料によって一体成形されたタンク架台であって、前記取付座に予め梁材のねじ結合部が付設されていることを特徴とするので、発電パネルが簡単に取り付けられると共に、大掛かりな基礎等を設けることなく簡単に設置でき、施工性が高い。また、発電パネル取付用梁材が堅固でかつ容易に取り付けられる。
【００２９】
また、本発明の請求項２に係る発明は、発電パネル取付用梁材の取付座が設けられた上面と、注入口及び排出口が開口された側面とを有する、軽量材料によって一体成形されたタンク架台であって、前記側面に予め索条通し部が付設されていることを特徴とするので、発電パネルが簡単に取り付けられると共に、大掛かりな基礎等を設けることなく簡単に設置でき、施工性が高い。また、架台構造の安定性が高まる。
【００３０】
また、本発明の請求項３に係る発明は、発電パネル取付用梁材の取付座が設けられた上面と、注入口及び排出口が開口された側面とを有する、軽量材料によって一体成形されたタンク架台であって、前記側面に予めケーブル引っ掛け部が付設されていることを特徴とするので、発電パネルが簡単に取り付けられると共に、大掛かりな基礎等を設けることなく簡単に設置でき、施工性が高い。また、ケーブルの配線が容易である。
【００３１】
また、本発明の請求項４に係る発明は、発電パネル取付用梁材の取付座が設けられた上面と、注入口及び排出口が開口された側面とを有する、軽量材料によって一体成形されたタンク架台であって、前記上面に予め取手が付設されていることを特徴とするので、発電パネルが簡単に取り付けられると共に、大掛かりな基礎等を設けることなく簡単に設置でき、施工性が高い。また、運搬が容易である。
【００３２】
また、本発明の請求項５に係る発明は、前記タンク架台は非透光性材料で成形されていることを特徴とするので、タンク架台の内部における藻などの有機物の発生が抑止され、長年にわたるタンク貯蔵水の中水利用が可能となる。
【図面の簡単な説明】
【図１】本発明の一実施例を示す太陽光発電パネル取付用架台の側面図である。
【図２】同じく平面図である。
【図３】同じく底面図である。
【図４】同じく正面図である。
【図５】同じく背面図である。
【図６】同じく図１のＡ−Ａ線断面図である。
【図７】同じく図１のＢ−Ｂ線断面図である。
【図８】同じく使用状態の斜視図である。
【図９】従来の太陽光発電パネル取付用架台の斜視図である。
【符号の説明】
１　タンク架台
２　取付座
３　取手
４　フランジナット
５Ａ，５Ｂ　注入口
６Ａ，６Ｂ　キャップ
７　排出口
８　ソケット
９　フック
１０　第１索条通し部
１０ａ　貫通孔
１１　第２索条通し部
１１ａ　貫通孔
１２　縦リブ
１３　横リブ
１４　凹み部
２０　発電パネル取付用梁材
２１　太陽光発電パネル
２２　ワイヤー
２３　アンカー
【図１】
2004047756.tif 000003
【図２】
2004047756.tif 000004
【図３】
2004047756.tif 000005
【図４】
2004047756.tif 000006
【図５】
2004047756.tif 000007
【図６】
2004047756.tif 000008
【図７】
2004047756.tif 000009
【図８】
2004047756.tif 000010
【図９】
2004047756.tif 000011